(57)【要約】【課題】  ユーザが設定項目を容易に検索でき、且つ、設定目的と設定対象の双方向からの設定を可能にした画像処理装置および検索方法および検索プログラムを提供する。【解決手段】  設定メニューの目的を示す設定目的と該設定目的により設定される設定対象とにキーワードを設定し、設定したキーワードのうち検索したい設定目的または設定対象を設定目的選択ボタン１２−２、設定対象選択ボタン１２−３を押下することにより選択し、選択したキーワードに該当する設定目的または設定対象を絞り込んでＬＣＤ１２−１に表示し、表示された内容から所望の設定目的および設定対象を決定ボタン１２−４で決定して所望の設定項目の設定を行う。【選択図】図２
2006001242.tif 000002
【特許請求の範囲】
【請求項１】
複数の設定項目の中の所望の設定項目の設定により複数の機能を実現する画像処理装置において、
前記設定項目の設定目的に対応する複数の第１のキーワードと前記設定項目による設定対象に対応する複数の第２のキーワードとをそれぞれ設定するキーワード設定手段と、
前記キーワード設定手段により設定された複数の第１のキーワードの中の所望の第１のキーワードを選択するとともに複数の第２のキーワードの中の所望の第２のキーワードを選択するキーワード選択手段と、
前記キーワード選択手段により選択された前記第１のキーワードおよび前記第２のキーワードに基づき前記所望の設定項目を検索する検索手段と
を具備することを特徴とする画像処理装置。
【請求項２】
前記キーワード選択手段による前記第１のキーワードの選択に対応して該第１のキーワードに対応する前記設定目的の設定が可能な少なくとも１つの設定対象に対応した前記第２のキーワードを絞込む設定対象キーワード絞込み手段と
を更に具備し、
前記キーワード選択手段は、
前記設定対象キーワード絞込み手段により絞込まれた前記第２のキーワードの中から所望の第２のキーワードを選択する
ことを特徴とする請求項１記載の画像処理装置。
【請求項３】
前記キーワード選択手段による前記第２のキーワードの選択に対応して該第２のキーワードに対応する前記設定対象の設定が可能な少なくとも１つの設定目的に対応した前記第１のキーワードを絞込む設定目的キーワード絞込み手段と
を更に具備し、
前記キーワード選択手段は、
前記設定目的キーワード絞込み手段により絞込まれた前記第１のキーワードの中から所望の第１のキーワードを選択する
ことを特徴とする請求項１記載の画像処理装置。
【請求項４】
複数の設定項目の中の所望の設定項目の設定により複数の機能を実現する画像処理装置の画像処理方法において、
前記設定項目の設定目的に対応する複数の第１のキーワードと前記設定項目による設定対象に対応する複数の第２のキーワードとをキーワード設定手段によりそれぞれ設定し、
前記キーワード設定手段により設定された複数の第１のキーワードの中の所望の第１のキーワードを選択するとともに複数の第２のキーワードの中の所望の第２のキーワードをキーワード選択手段により選択し、
前記キーワード選択手段により選択された前記第１のキーワードおよび前記第２のキーワードに基づき前記所望の設定項目を検索する
ことを特徴とする画像処理方法。
【請求項５】
前記キーワード選択手段により選択したいずれかのキーワードに基づいて設定が可能な少なくとも一つの他方のキーワードを絞込み手段により絞込む
ことを更に具備し、
前記絞込み手段により絞込まれた前記キーワードの中から所望のキーワードを選択する
ことを特徴とする請求項４記載の画像処理方法。
【請求項６】
複数の設定項目の中の所望の設定項目の設定により複数の機能を実現する画像処理装置の画像処理をコンピュータにより実行させる画像処理プログラムであって、
前記設定項目の設定目的に対応する複数の第１のキーワードと前記設定項目による設定対象に対応する複数の第２のキーワードとをそれぞれ設定するステップと、
該設定された複数の第１のキーワードの中の所望の第１のキーワードを選択するとともに複数の第２のキーワードの中の所望の第２のキーワードを選択するステップと、
該選択された前記第１のキーワードおよび前記第２のキーワードに基づき前記所望の設定項目を検索するステップと
を含むことを特徴とする画像処理プログラム。
【発明の詳細な説明】
【技術分野】
【０００１】
本発明は、画像処理装置および方法およびプログラムに関し、特に、設定したい設定目的と設定される設定対象とをそれぞれキーワード化することでユーザが容易に設定を行えるようにした画像処理装置および検索方法および検索プログラムに関する。
【背景技術】
【０００２】
近年、画像処理装置に装備される機能の種類が格段に増加傾向にあり、それに伴ってユーザがあらかじめ設定する項目も多くなっており、設定メニューの項目が多階層化する傾向にある。そのため、ユーザが項目を設定するためには、分厚いマニュアルを用いなければ設定したい項目までたどり着くことが困難である。
【０００３】
このため、画像処理装置を使い始めるまでの初期設定や各機能のカスタマイズ設定等において時間がかかり操作性に満足できないだけでなく、設定後のメンテナンス性にも満足することができない。
【０００４】
そこで、特許文献１に開示された従来技術では、プリンタが持つ印刷機能に対してプリンタに設置された各手動スイッチとの操作パターンを対応付けて管理し、ユーザが手動スイッチを用いて操作を行うと同時に操作内容を検出することで直接設定したい項目にたどり着くことを容易にしている。
【０００５】
また、特許文献２に開示された従来技術では、プリンタに備えられた操作キーで操作した設定項目数の多い動作などを操作履歴として記憶しておき、記憶された操作履歴を元に設定したい項目にたどり着くようにすることで作業効率の向上を図っている。
【特許文献１】特開２０００−４３３６６
【特許文献２】特開２００３−１３１５２６
【発明の開示】
【発明が解決しようとする課題】
【０００６】
しかしながら、特許文献１に示された従来技術においては、手動スイッチの操作パターンによって各種印刷機能を直接的に指定して設定変更できるようにしているが、印刷機能を全て変更する機会は極めて少ないという考えで創作されているため、操作パターンに登録されていない設定項目を変更したい場合には従来の階層をたどることにより設定項目にたどり着くようにしなければならないという問題がある。
【０００７】
また、特許文献２に示された従来技術では、操作回数の多い項目の設定を行うには容易に項目にたどり着くことができるが、普段使用しないまたは設定頻度の少ない項目については、いく段にも階層化されており、たどり着くことが困難である。
【０００８】
そこで、本発明は、ユーザが設定項目を容易に検索でき、且つ、設定目的と設定対象の双方向からの設定を可能にした画像処理装置および検索方法および検索プログラムを提供することを目的とする。
【課題を解決するための手段】
【０００９】
上記目的を達成するため、請求項１の発明は、複数の設定項目の中の所望の設定項目の設定により複数の機能を実現する画像処理装置において、前記設定項目の設定目的に対応する複数の第１のキーワードと前記設定項目による設定対象に対応する複数の第２のキーワードとをそれぞれ設定するキーワード設定手段と、前記キーワード設定手段により設定された複数の第１のキーワードの中の所望の第１のキーワードを選択するとともに複数の第２のキーワードの中の所望の第２のキーワードを選択するキーワード選択手段と、前記キーワード選択手段により選択された前記第１のキーワードおよび前記第２のキーワードに基づき前記所望の設定項目を検索する検索手段とを具備することを特徴とする。
【００１０】
また、請求項２の発明は、請求項１の発明において、前記キーワード選択手段による前記第１のキーワードの選択に対応して該第１のキーワードに対応する前記設定目的の設定が可能な少なくとも１つの設定対象に対応した前記第２のキーワードを絞込む設定対象キーワード絞込み手段とを更に具備し、前記キーワード選択手段は、前記設定対象キーワード絞込み手段により絞込まれた前記第２のキーワードの中から所望の第２のキーワードを選択することを特徴とする。
【００１１】
また、請求項３の発明は、請求項１の発明において、前記キーワード選択手段による前記第２のキーワードの選択に対応して該第２のキーワードに対応する前記設定対象の設定が可能な少なくとも１つの設定目的に対応した前記第１のキーワードを絞込む設定目的キーワード絞込み手段とを更に具備し、前記キーワード選択手段は、前記設定目的キーワード絞込み手段により絞込まれた前記第１のキーワードの中から所望の第１のキーワードを選択することを特徴とする。
【００１２】
また、請求項４の発明は、複数の設定項目の中の所望の設定項目の設定により複数の機能を実現する画像処理装置の画像処理方法において、前記設定項目の設定目的に対応する複数の第１のキーワードと前記設定項目による設定対象に対応する複数の第２のキーワードとをキーワード設定手段によりそれぞれ設定し、前記キーワード設定手段により設定された複数の第１のキーワードの中の所望の第１のキーワードを選択するとともに複数の第２のキーワードの中の所望の第２のキーワードをキーワード選択手段により選択し、前記キーワード選択手段により選択された前記第１のキーワードおよび前記第２のキーワードに基づき前記所望の設定項目を検索することを特徴とする。
【００１３】
また、請求項５の発明は、請求項４の発明において、前記キーワード選択手段により選択したいずれかのキーワードに基づいて設定が可能な少なくとも一つの他方のキーワードを絞込み手段により絞込むことを更に具備し、前記絞込み手段により絞込まれた前記キーワードの中から所望のキーワードを選択することを特徴とする。
【００１４】
また、請求項６の発明は、複数の設定項目の中の所望の設定項目の設定により複数の機能を実現する画像処理装置の画像処理をコンピュータにより実行させる画像処理プログラムであって、
前記設定項目の設定目的に対応する複数の第１のキーワードと前記設定項目による設定対象に対応する複数の第２のキーワードとをそれぞれ設定するステップと、該設定された複数の第１のキーワードの中の所望の第１のキーワードを選択するとともに複数の第２のキーワードの中の所望の第２のキーワードを選択するステップと、該選択された前記第１のキーワードおよび前記第２のキーワードに基づき前記所望の設定項目を検索するステップとを含むことを特徴とする。
【発明の効果】
【００１５】
本発明によれば、複雑な設定項目を設定するために設定目的と設定目的によって設定される対象それぞれをキーワード化して所望の設定項目を検索するように構成したので、キーワードを入力することにより設定を行うユーザがマニュアルを参照することなく容易に所望の設定項目にたどり着け、設定を行うことが可能になるという効果を奏する。
【発明を実施するための最良の形態】
【００１６】
以下、本発明に係わる画像処理装置および方法およびプログラムの一実施例を添付図面を参照して詳細に説明する。
【００１７】
なお、本願発明の画像処理装置および方法およびプログラムは、印刷出力を行うプリンタ、紙面に印刷された画像を読み取るスキャナ、光学的に文字を読み取るＯＣＲ（Optical Character Reader：光学式文字読取装置）などに代表されるような画像を処理する装置に適用可能であるが、例として印刷出力を行うプリンタについて説明する。
【実施例】
【００１８】
図１は、この発明に係わるプリンタの概観を示す図である。
【００１９】
図１において、このプリンタ１０には、印刷部１１、設定部１２、ホッパ（１３−Ａ，１３−Ｂ，１３−Ｃ，１３−Ｄ）、排紙トレー（１４−Ａ，１４−Ｂ，１４−Ｃ，１４−Ｄ，１４−Ｅ）、給紙トレー（１５−Ａ，１５−Ｂ）を具備して構成されている。
【００２０】
印刷部１１は、上位装置であるパソコンなどから送信された印刷文書データを印刷処理するものである。印刷部１１はプリンタ機能を実現するメイン部分である。
【００２１】
設定部１２は、設定項目の設定目的に対応したキーワードと設定項目による設定対象に対応するキーワードとをそれぞれ設定したり、設定項目の内容を確認したりするものである。
【００２２】
ホッパ（１３−Ａ，１３−Ｂ，１３−Ｃ，１３−Ｄ）は、それぞれ指定された用紙サイズを保管しておくものである。
【００２３】
例えば、ホッパ１（１３−Ａ）には、Ａ４の用紙が保管されており、ホッパ２（１３−Ｂ）にはＡ３の用紙が保管されており、ホッパ３（１３−Ｃ）にはＢ４の用紙が保管されており、ホッパ４（１３−Ｄ）にはＢ５の用紙が保管されているとすると、ホッパ１（１３−Ａ）にはＡ４の用紙が保管されていることを設定部１２を用いて印刷部１１に設定することができる。
【００２４】
排紙トレー（１４−Ａ，１４−Ｂ，１４−Ｃ，１４−Ｄ，１４−Ｅ）は、印刷部１１で印刷した用紙を排紙して溜めておくトレーであり、ホッパ（１３−Ａ，１３−Ｂ，１３−Ｃ，１３−Ｄ）それぞれに保管された印刷用紙の種類などにより異なる排紙トレーに排紙される。トレーの種類としては、印刷された用紙の表面が下向きで排出されてくるフェースダウントレーや印刷された用紙の表面が上向きで排出されてくるフェースアップトレーなどがある。
【００２５】
ホッパ（１３−Ａ，１３−Ｂ，１３−Ｃ，１３−Ｄ）に保管された印刷用紙をあらかじめ設定された設定情報に基づいて異なる排紙トレー（１４−Ａ，１４−Ｂ，１４−Ｃ，１４−Ｄ，１４−Ｅ）に排紙することができ、印刷物や印刷者などにより分けて排紙することができるようにすることができるものである。
【００２６】
給紙トレー（１５−Ａ，１５−Ｂ）は、印刷用紙を保管しておくものである。
【００２７】
図２は、図１に示す設定部１２の内容を詳細に示した図である。
【００２８】
図２には、ＬＣＤ（Liquid Crystal Display：液晶ディスプレイ）１２−１、設定目的選択ボタン１２−２、設定対象選択ボタン１２−３、決定ボタン１２−４、初期化ボタン１２−５、変更ボタン１２−６、メニューＩＮボタン１２−７、メニューＯＵＴボタン１２−８を具備して構成される。
【００２９】
ＬＣＤ１２−１は、各種設定を行うためのＧＵＩ（Graphical User Interface：ユーザ画面）である。
【００３０】
設定目的選択ボタン１２−２は、設定したい設定目的のキーワードを選択するボタンである。メニューＩＮボタン１２−７によりメニューモードに切り換えが行われた場合に設定目的選択ボタン１２−２を押下するとキーワードを選択することができるようになる。複数回押下することにより設定目的のキーワードが順次切り換えることができる。
【００３１】
設定対象選択ボタン１２−３は、設定目的選択ボタン１２−２により選択された設定目的のキーワードに対する設定対象のキーワードを選択するボタンである。設定目的選択ボタン１２−２と同様に複数回押下することで設定対象のキーワードを順次切り換えることができる。
【００３２】
さらに、設定目的選択ボタン１２−２と設定対象選択ボタン１２−３は、双方向からの相互設定を行うことができる。つまり、設定目的選択ボタン１２−２により設定目的のキーワードを選択した後に設定対象選択ボタン１２−３で設定対象のキーワードを選択することができ、また、設定対象選択ボタン１２−３で設定対象のキーワードを選択した後に設定目的選択ボタン１２−２で設定目的のキーワードを選択するようにしてもよい。
【００３３】
このとき、設定目的選択ボタン１２−２を選択すると選択した設定目的のキーワードに対して設定対象選択ボタン１２−３により設定することが可能な設定対象のキーワードの絞り込みが行われ、また設定対象選択ボタン１２−３を設定目的選択ボタン１２−２よりも先に選択した場合は、選択した設定対象のキーワードに対して設定目的選択ボタン１２−２により設定することが可能な設定目的のキーワードの絞り込みが行われる。
【００３４】
これによってユーザの意図する項目設定を設定目的ないしは設定対象の双方向からすることができ、より容易に行うことができるようになる。
【００３５】
決定ボタン１２−４は、設定目的選択ボタン１２−２または設定対象選択ボタン１２−３によりそれぞれのキーワードを選択して設定項目を決定するのに押下するものであり、押下すると選択されたキーワードに対して現在設定されている設定内容がＬＣＤ１２−１に表示されるほか、さらに各キーワードを固定して他のキーワード（固定したキーワードが設定目的のキーワードである場合には設定対象のキーワードを、固定したキーワードが設定対象のキーワードである場合には設定目的のキーワード）を選択することができる。
【００３６】
初期化ボタン１２−５は、設定目的選択ボタン１２−２または設定対象選択ボタン１２−３により選択したキーワードによって絞り込まれた状態である場合に絞り込まれた状態を解除して双方のキーワードの選択を自由に行えるようにするボタンである。
【００３７】
変更ボタン１２−６は、現在の設定項目の内容を変更する際に押下するボタンである。変更ボタン１２−６を押下後、設定目的選択ボタン１２−２または設定対象選択ボタン１２−３のいずれかを押下することにより押下しなかった他のボタンのキーワードに対して押下したボタンのキーワードを選択することができるようになる。
【００３８】
メニューＩＮボタン１２−７は、通常の印刷を行うための状態からプリンタの設定を行うメニューモードに移行するボタンである。
【００３９】
メニューＯＵＴボタン１２−８は、プリンタの設定を行うメニューモードから通常の印刷を行うための状態に移行するボタンである。
【００４０】
このような構成にすると、メニューＩＮボタン１２−７を押下することによりプリンタの設定を行うメニューモードに移行することができ、メニューモードに移行すると以前最後に設定した設定目的と設定対象の設定項目の内容が表示され、変更ボタン１２−６を押下することにより設定項目の内容の変更が行えるようになる。
【００４１】
設定項目の内容の変更が行える状態から設定目的選択ボタン１２−２または設定対象選択ボタン１２−３を押下することにより設定目的に対するキーワードまたは設定対象に対するキーワードを選択することができるようになる。このとき、設定目的選択ボタン１２−２または設定対象選択ボタン１２−３のいずれか押下しなかった他のキーワードに対して設定することができる。
【００４２】
つまり、押下しなかった他のキーワードは固定された状態であるため押下した方のキーワードを変更することができる。ちなみに選択できるキーワードは、押下しなかった方のキーワードで絞り込まれたキーワードである。これを解除するには初期化ボタン１２−５を押下し、これにより項目のキーワードと設定対象のキーワードそれぞれを独立して切り換えることができるようになる。
【００４３】
キーワードを決定するには、決定ボタン１２−４を押下する。このとき設定目的のキーワードと設定対象のキーワードの関係を決定する。
【００４４】
最後に、メニューＯＵＴボタン１２−８を押下することによりプリンタの設定を行うメニューモードから通常の印刷を行うための状態に移行することができる。
【００４５】
このような構成により、いく段にも階層化された機能を設定する場合に、設定目的ないしは設定対象のいずれかのキーワードを入力することで、入力されたキーワードの設定項目を検索できるようになる。
【００４６】
図３は、図２に示すＬＣＤ１２−１に表示される設定目的のキーワードと設定対象のキーワードの種類を示す図である。
【００４７】
図３には、設定目的のキーワードとして「アイシ、リレー、グループ」などが表示され、設定対象のキーワードとして「ホッパ、手差しトレー、インタフェース」などが表示されている。
【００４８】
図２に示す設定目的選択ボタン１２−２を複数回押下することにより設定目的のキーワードに設定された「アイシ、リレー、グループ」などが順次表示される。また、設定対象選択ボタン１２−３を同様に複数回押下することにより設定対象のキーワードとして「ホッパ、手差しトレー、インタフェース」などが順次表示される。
【００４９】
図４は、この発明に係わる既存の設定内容を表した画面を示す図である。
【００５０】
図４には、図２に示す設定目的選択ボタン１２−２を押下して設定目的のキーワードとして「アイシ」を選択した場合に図２のＬＣＤ１２−１に表示される内容を示している。
【００５１】
ここに示す例では、設定目的のキーワードとして「アイシ」が設定されており、すでに設定されている設定対象のキーワードが「ホッパ１」であることを示しており、その設定対象のキーワードが「無効（ＯＦＦ）」になっていることを示している。
【００５２】
図５は、この発明に係わる設定目的のキーワードに対する設定対象のキーワードを設定する画面を示す図である。
【００５３】
図５には、設定目的のキーワードに対して設定された設定対象のキーワードとの関連が示されている。
【００５４】
ここに示す例では、設定目的のキーワードである「アイシ」に対して設定対象のキーワードである「ホッパ１」が関連付けられている例を示している。
【００５５】
図６は、この発明において設定目的のキーワードによる絞込みが行われた状態を示す図である。
【００５６】
図６には、設定目的のキーワードとして「アイシ」を設定した場合に設定対象のキーワードとして「ホッパ１、ホッパ２、ホッパ３、ホッパ４、ホッパ５、ホッパ６、手差しトレー」が選択することが可能であることを示している。
【００５７】
図７は、この発明における設定対象におけるキーワードによる絞込みが行われた状態を示す図である。
【００５８】
図７には、図６に示した例とは逆に、設定対象のキーワードとして「ホッパ１」を設定した場合に設定目的のキーワードとして「アイシ、リレー、グループ、ヨウシシュベツ、テイケイガイ、ビチョウセイ」が選択することが可能であることを示している。
【００５９】
図６、図７に示すように本発明の画像処理装置では、キーワードの設定を設定目的のキーワードと設定対象のキーワードとの双方から行える。
【００６０】
以上の処理によって、本発明の画像処理装置では、設定目的と設定対象をキーワード化でき、これによって、多機能化したプリンタの設定を階層をたどって設定することなく、キーワードを指定することで直接設定することが可能になる。
【００６１】
従って、本発明を適用することにより、近年の多機能化したプリンタの設定を分厚いマニュアルを参照することなく、直感的なキーワードを用いることにより容易に設定項目までたどり着くことができるという効果を期待できる。
【００６２】
本発明は、上記し、且つ図面に示す実施例に限定することなく、その要旨を変更しない範囲内で適宜変形して実施できるものである。
【産業上の利用可能性】
【００６３】
本発明は、多くの機能を搭載した装置における各種設定を容易に行えるようにした画像処理装置および検索方法および検索プログラムに適用可能であり、特に、設定目的と設定対象とをそれぞれキーワード化することにより、多くの機能が搭載された画像処理装置の各種設定を容易に行うのに有用である。
【図面の簡単な説明】
【００６４】
【図１】この発明に係わる画像処理装置の概観を示す図。
【図２】この発明に係わる画像処理装置の設定部１２の内容を示す図。
【図３】この発明に係わる画像処理装置の設定できるキーワードの一覧の例を示す図。
【図４】この発明に係わる既存の設定項目の内容を表した画面を示す図。
【図５】この発明に係わる設定目的のキーワードに対する設定対象のキーワードを設定する画面を示す図。
【図６】この発明において設定目的のキーワードによる設定対象のキーワードが絞込まれた状態を示す図。
【図７】この発明における設定対象のキーワードによる設定目的のキーワードが絞込まれた状態を示す図。
【符号の説明】
【００６５】
１０        プリンタ
１１        印刷部
１２        設定部
１２−１    ＬＣＤ
１２−２    設定目的選択ボタン
１２−３    設定対象選択ボタン
１２−４    決定ボタン
１２−５    初期化ボタン
１２−６    変更ボタン
１２−７    メニューＩＮボタン
１２−８    メニューＯＵＴボタン
１３−Ａ，１３−Ｂ，１３−Ｃ，１３−Ｄ  ホッパ
１４−Ａ，１４−Ｂ，１４−Ｃ，１４−Ｄ，１４−Ｅ  排紙トレー
１５−Ａ，１５−Ｂ    給紙トレー
【図１】
2006001242.tif 000003
【図２】
2006001242.tif 000004
【図３】
2006001242.tif 000005
【図４】
2006001242.tif 000006
【図５】
2006001242.tif 000007
【図６】
2006001242.tif 000008
【図７】
2006001242.tif 000009